(57)【要約】      （修正有）【課題】臭気をマスキングするのではなく、袋及び中材の両方で臭気成分を吸着して、臭気を除去するようにした消臭袋を提供する。【解決手段】中材と、中材を内包する袋１２ａとを含む消臭袋１ａであり、中材は、任意の長さに切った藺草の茎であり、袋は、竹炭を含有するシートで構成された。袋には、藺草の繊維径よりも小さい大きさの複数の貫通孔１２１が設けられ、袋の開口部は、藺草で構成した紐１４で縛られている。【選択図】図２
0003227321.tif 000002
【実用新案登録請求の範囲】
【請求項１】
中材と、中材を内包する袋とを含む消臭袋であり、
中材は、任意の長さに切った藺草の茎であり、
袋は、竹炭を含有するシートで構成された消臭袋。
【請求項２】
袋には、藺草の繊維径よりも小さい大きさの複数の貫通孔が設けられた請求項１に記載の消臭袋。
【請求項３】
袋の開口部は、藺草で構成した紐で縛られている請求項１又は２に記載の消臭袋。
【請求項４】
袋は、竹炭を含有するシートを保護する外袋に内包されている請求項１ないし３のいずれかに記載の消臭袋。
【考案の詳細な説明】
【技術分野】
【０００１】
本考案は、藺草と竹炭を含有するシートとを利用した消臭袋に関するものである。
【背景技術】
【０００２】
以下に示す特許文献１のように、不織布で構成した袋の中に、切断した植物の葉を詰めた消臭袋が提案されている。植物の葉としては、ホウライチクの葉を使用するとされている。この消臭袋では、緑葉を切断することで、葉に含まれる香りの成分が空気中に発散し、消臭効果が高まるとされている。特に、ホウライチクの葉は、消臭効果が大きく、持続性が高いとされている。
【先行技術文献】
【特許文献】
【０００３】
【特許文献１】特開２００６−３２６１９９号公報
【考案の概要】
【考案が解決しようとする課題】
【０００４】
上記の特許文献１の消臭袋では、ホウライチクの香りを利用して、臭気をマスキングすることで臭気が気にならないようにするものである。この消臭袋では、臭気成分そのものの拡散を妨げて消臭するものではない。このような消臭袋では、ホウライチクに由来する芳香と、臭気成分とが混合して、鼻につく臭いを発生させる場合も想定される。
【０００５】
不織布で構成した袋の中に中材として藺草の茎を詰めた消臭袋も想定される。しかしながら、このような消臭袋では、中材を包む袋によって藺草の茎が有する臭気の吸着能が損なわれてしまうため、十分な消臭効果が得られない。
【０００６】
上記の問題に鑑みて、本考案は、中材及び当該中材を納める袋の両方を多孔質の素材を含むように構成することにより、臭気をマスキングするのではなく、袋及び中材の両方で臭気成分を吸着して、臭気を除去するようにした消臭袋を提供することを目的とする。
【課題を解決するための手段】
【０００７】
中材と、中材を内包する袋とを含む消臭袋であり、中材は、任意の長さに切った藺草の茎であり、袋は、竹炭を含有するシートで構成された消臭袋により、上記の課題を解決する。藺草の茎は、多孔質である。本考案の消臭袋では、藺草の茎を切ってあるため、多孔質体である藺草の茎に臭気成分が吸着する。袋は、多孔質体である竹炭を含有するシートで構成されているため、中材だけでなく、袋そのものにも臭気成分が吸着する。このような構成により、本考案の消臭袋は、強い消臭効果を発揮する。
【０００８】
上記の消臭袋において、袋には、藺草の繊維径よりも小さい大きさの複数の貫通孔を設けることが好ましい。この構成により、藺草の茎が袋の外に飛び出すことを防止すると共に、臭気成分が袋の内部に収められた藺草の茎に吸着しやすくなる。これにより、消臭効果をより高めることができる。
【０００９】
上記の消臭袋において、袋の開口部は、藺草で構成した紐で縛られたものとすることが好ましい。袋の開口部を藺草で構成した紐で縛ることにより、消臭袋の美感を向上させると共に、紐自体にも消臭効果を持たせることができる。
【００１０】
上記の消臭袋において、袋は、竹炭を含有するシートを保護する外袋に内包されたものとすることが好ましい。この構成によれば、外袋により竹炭シートで構成した袋を保護することができる。摩擦によってシートから竹炭が脱落して、使用と共に袋の消臭効果が減退することがある。外袋で袋を保護することにより、消臭効果の減退を効果的に防ぐことができる。
【考案の効果】
【００１１】
本考案によれば、中材及び当該中材を納める袋の両方を多孔質の素材を含むように構成することにより、臭気をマスキングするのではなく、袋及び中材の両方で臭気成分を吸着して、臭気を除去するようにした消臭袋を提供することができる。
【図面の簡単な説明】
【００１２】
【図１】消臭袋の一実施形態を示す図である。
【図２】図１の消臭袋の外袋を外した状態を示す図である。
【図３】図２のＡＡ´部分における断面図である。
【図４】消臭袋の他の実施形態を示す図である。
【図５】消臭袋の他の実施形態を示す図である。
【図６】消臭袋の他の実施形態を示す正面図である。
【図７】図６の消臭袋の背面図である。
【図８】官能評価の結果をまとめたグラフである。
【図９】臭気の検知装置を使用した試験結果をまとめたグラフである。
【考案を実施するための形態】
【００１３】
以下、図面を参照して、消臭袋の実施形態について説明する。以下に示す消臭袋は例示に過ぎない。本考案の技術的範囲は、以下に示す実施形態に限定されるものではない。
【００１４】
図１ないし図３に、消臭袋１ａの一実施形態を示す。図１ないし図３に示したように、消臭袋１ａは、中材１１と、中材１１を内包する袋１２ａとを含む。図３に示したように、中材１１は、任意の長さに切った複数の藺草の茎で構成される。袋１２ａは、竹炭を含有するシートで構成される。
【００１５】
中材は、藺草の茎を切断したものを含むようにすればよい。藺草の茎を切断する長さは、特に限定されないが、例えば、８ｍｍ〜６０ｍｍの範囲に含まれる長さとなるように切断することができる。個々の藺草の茎の長さは、同じであってもよいし、異なっていてもよい。藺草の茎に加えて、綿などの他の中材を混合してもよい。しかしながら、消臭効果を高めるためには、中材は藺草の茎のみで構成することが好ましい。藺草の茎は、内部が多孔質になっている。藺草の茎を切断することで、断面から多孔質の部分が露出し、臭気成分が多孔質の部分に吸着されやすくなる。藺草の茎は、多孔質な部分を有するものであればよく、例えば、泥染め藺草、又は乾燥させた藺草などを好適に使用することができる。
【００１６】
袋１２ａは、竹炭を含有するシート（以下、竹炭シートと称する。）で構成する。竹炭シートは、袋を構成することができるシートに竹炭を含ませたものであればよい。竹炭シートとしては、例えば、不織布若しくは織編布などの基材に竹炭の粉末を接着剤で担持させたもの、又は不織布若しくは織編布を構成する繊維に竹炭を担持若しくは練り込んだものなどを使用することができる。袋を構成する基材は、通気性を有するものであることが好ましい。竹炭は、多孔質であり、臭気成分を吸着することができるものであればよい。
【００１７】
袋１２ａには、図２に示したように、藺草の繊維径、すなわち、茎の径よりも小さい大きさを有する複数の貫通孔１２１を設けることが好ましい。貫通孔１２１の大きさを茎の径よりも小さくすることで、消臭袋から藺草の茎が飛び出すことを防いで、臭気成分を袋１２ａに内包されている藺草の茎に吸着させやすくすることができる。
【００１８】
袋１２ａは、図１に示したように、竹炭を含有するシートを保護する外袋１３ａに内包された構成とすることが好ましい。袋１２ａを外袋１３ａで保護することにより、袋を構成する竹炭シートから竹炭が摩擦によって脱落することを防止することができる。竹炭が脱落することによって、手や物が汚れたりすることを防いで、消臭効果が摩擦によって減退することを防ぐことができる。
【００１９】
外袋１３ａは、竹炭を含有せず、通気性のある基材で構成することが好ましい。外袋１３ａに竹炭を含有させないことで、竹炭が摩擦により脱落することを防ぐことができる。通気性のある基材としては、織編布、不織布、又は紙などを好適に使用することができる。図１の例では、外袋１３ａは、透かし模様のある和紙で構成した。透かし部分では、基材の厚みがその他の部分よりも小さくなっているため、臭気成分が透過しやすく、消臭効果を高めることができるので好ましい。
【００２０】
袋１２ａの開口部は、藺草で構成した紐で縛ることにより、袋１２ａの開口部を閉じることが好ましい。袋の開口部を藺草で構成した紐で縛ることにより、消臭袋の美感を向上させると共に、紐自体にも消臭効果を持たせることができる。図１の袋１２ａでは、袋１２ａの開口部と外袋１３ａの開口部とが、藺草で構成した紐１４で縛られている。
【００２１】
図１ないし図３に示した消臭袋１ａは、袋１２ａの開口部が配される上端部を紐１４で縛った形状を有する。消臭袋の形状は、この例に限られない。例えば、図４に示したように、袋１２ｂ及び外袋１３ｂを棒状にし、袋１２ｂ及び外袋１３ｂの上端部を紐１４で縛った消臭袋１ｂとしてもよい。また、図５に示したように、袋１２ｃを棒状の部分２１ｃと、棒状の部分２１ｃに交差する方向に延びる開口部２２ｃとを有する足の形状のようにした消臭袋１ｃとしてもよい。棒状の部分２１ｃと開口部２２ｃとの間の部分は、紐１４で結束されている。
【００２２】
消臭袋１ａは、例えば、部屋、車内、下駄箱、玄関、又はトイレなどに設置して、消臭することができる。棒状の消臭袋１ｂは、例えば、ブーツなどの深靴の内部に挿入して、深靴についた臭いをとる際に好適に使用することができる。足の形にした消臭袋１ｃは、例えば、スニーカー、革靴などの短靴の内部に挿入して、短靴に着いた臭いをとる際に好適に使用することができる。
【００２３】
また、消臭袋には、図６及び図７に示したように、装飾を施してもよい。図６及び図７に示した消臭袋２２ｄは、開口部２２ｄと棒状の部分２１ｄとを有しており、開口部２２ｄと棒状の部分２１ｄとは、直線状に配置される。棒状の部分２１ｄと開口部２２ｄとの間の部分は、紐１４で結束されている。この消臭袋１ｄは、短靴の内部に挿入して、短靴に着いた臭いをとる際に好適に使用することができる。つま先の部分の正面部と背面部とには、それぞれ装飾部２３が配されている。正面部には、装飾部２３として、猫の爪を模した線状のシールが貼着されている。背面部には、装飾部２３として、猫の肉球を模したシールが貼着されている。
【００２４】
藺草の茎は、それ単体で消臭効果を発揮する。しかし、藺草の茎を切断したものは、衣服、靴などの物品に付着しやすく、また、まとまりが悪いため、取り扱いにくい。消臭袋を構成するには、不織布又は織編布などで構成した袋に藺草の茎を入れざるを得ない。そのような袋に藺草の茎を投入すると、袋によって藺草の茎が有する消臭機能が損なわれてしまう。本考案では、袋そのものも臭気成分を吸着する能力を有する竹炭シートで構成しているため、袋で藺草の茎を覆うことによる消臭効果の低減を防ぐことができる。しかも、藺草の茎を単体で用いる場合に比べて、物品に対して付着しにくく格段に取り扱いやすい。
【実施例】
【００２５】
官能評価又は臭気の検知装置を使用して、消臭袋の消臭効果を検証した。
【００２６】
［官能評価］
３〜４ｃｍに切断した複数の藺草の茎３ｇと、不織布に竹炭を担持させた市販の竹炭シート３ｇと、希釈したトリメチルアミン溶液を付着させた脱脂綿とを、密閉式のフードコンテナ（容量１リットル）に入れたものを複数個用意して、０分後、１０分後、３０分後、１時間後、６時間後、及び２４時間後において、１４名のパネルに臭気を嗅いでもらい、以下の６件法で評価した。なお、藺草の茎は、泥染めし、乾燥させたものを使用した。また、希釈したトリメチルアミンは、３０％のトリメチルアミン（富士フィルム和光純薬株式会社製）を蒸留水で５０倍に希釈して、０．６％となるようした。パネルは、２０〜２１歳の者１０名であり、２０〜６０代の者４名で構成される。
５：臭気が強い
４：臭気が少し強い
３：中程度の臭気
２：臭気が少し弱い
１：無臭
なお、トリメチルアミンが付着した直後の臭いの強度を５とする。
【００２７】
比較対象用のブランクとして、希釈したトリメチルアミン溶液を付着させた脱脂綿を、密閉式のフードコンテナ（容量１リットル）に入れたものを複数個用意した。０分後、１０分後、３０分後、１時間後、６時間後、及び２４時間後において、１４名のパネルに臭気を嗅いでもらい、上記と同様にして、官能評価を実施した。なお、希釈したトリメチルアミンは、３０％のトリメチルアミン（富士フィルム和光純薬株式会社製）を蒸留水で５０倍に希釈して、０．６％となるようした。
【００２８】
パネルの回答結果を、ＰＡＳＷ  Ｓｔａｔｉｓｔｉｃｓ  １８を用いて統計処理した。統計処理は、検査時間ごとに各試験区の臭い強度の差について、Ｓｃｈｅｆｆｅ法で多重比較を行った。結果を図８のグラフに示す。
【００２９】
図８に示したように、時間の経過とともに、トリメチルアミンの臭いの強度が減少していった。ブランクに比して、藺草の茎と竹炭シートとを入れたフードコンテナでは、ブランクに比して、有意に臭いが減少することがわかった。
【００３０】
［臭気の検知装置による試験］
官能評価と同じ条件で、臭気の検知装置を使用して、臭気の強度を測定した。臭気の検知装置として、ハンディにおいモニターＯＭＸ−ＳＲＭ（神栄テクノロジー株式会社）を使用した。当該装置は、測定対象とする気体をノズルから吸引し、臭気の相対的な変化を数値にて表示するものである。臭気の強度は、０〜９９９の１０００段階で表示される。図９に当該装置による測定結果を示す。
【００３１】
図９に示したように、藺草の茎と竹炭シートとを入れたフードコンテナでは、ブランクに比して、速やかに、臭気の強度が減少することがわかった。
【００３２】
上記の速やかな消臭効果は、竹炭の細孔と、藺草の茎の細孔に臭気成分が吸着されたことによるものである。
【符号の説明】
【００３３】
１ａ    消臭袋
１ｂ    消臭袋
１ｃ    消臭袋
１１    中材
１２ａ  袋
１３ａ  外袋
１２ｂ  袋
１３ｂ  外袋
１２ｃ  袋
１３ｃ  外袋
１４    紐
【図１】
0003227321.tif 000003
【図２】
0003227321.tif 000004
【図３】
0003227321.tif 000005
【図４】
0003227321.tif 000006
【図５】
0003227321.tif 000007
【図６】
0003227321.tif 000008
【図７】
0003227321.tif 000009
【図８】
0003227321.tif 000010
【図９】
0003227321.tif 000011